(57)【要約】【課題】  低コストで必要十分な吸入圧および吐出圧を確保することができる水用内接歯車ポンプを提供する。【解決手段】  ケーシング１０のロータ収容凹部１１に、内歯４１を有するアウタロータ４０が回転自在に嵌合され、アウタロータ４０内に、外歯５１を有するインナロータ５０が、外歯５１を内歯４１に内接させて回転自在に収容され、各ロータ４０，５０間およびケーシング１０に固定されるカバー２０によって吸入側および吐出側の容積室Ｒが形成されるトロコイドポンプにおいて、ケーシング１０とカバー２０との間に、容積室Ｒを覆うシート６０を挟む。シート６０がロータ４０，５０に吸着することにより吸入圧が上昇する。また、吐出側ではシート６０がカバー２０の内面の凹部２１に入り込んで膨らみ、吐出側の圧力上昇が抑えられる。【選択図】  図７
2006070813.tif 000002
【特許請求の範囲】
【請求項１】
カバー固定面、およびこのカバー固定面に形成されたロータ収容凹部を有するケーシングと、
内歯を有し、前記ケーシングの前記ロータ収容凹部に回転自在に嵌合される環状のアウタロータと、
外歯を有し、前記アウタロータ内に、外歯が前記内歯に内接して噛み合い、かつ、アウタロータの回転中心に対して偏心する状態で回転自在に収容されるインナロータと、
前記ケーシングの前記カバー固定面に固定され、前記ロータ収容凹部を閉塞するカバーと、
前記アウタロータと前記インナロータのいずれか一方を回転させることにより、両ロータを回転させる駆動源とを備え、
前記内歯と前記外歯との間に、水が吸入される吸入側容積室と、水を吐出させる吐出側容積室とが形成される内接歯車ポンプにおいて、
前記ケーシングの前記カバー固定面と、前記カバーとの間に、可撓性および水不透過性を有するシートが、前記ロータ収容凹所を覆う状態に挟まれていることを特徴とする水用内接歯車ポンプ。
【請求項２】
前記カバーにおける前記シートに対向する内面の、少なくとも前記吐出側容積室に対応する部分に、凹部が形成されていることを特徴とする請求項１に記載の水用内接歯車ポンプ。
【請求項３】
前記シートの、前記吸入側容積室に対応する部分の一部に、孔が形成されていることを特徴とする請求項１または２に記載の水用内接歯車ポンプ。
【請求項４】
前記シートが、前記ロータ収容凹部の周囲において前記カバー固定面および前記カバー内面に液密的に密着していることを特徴とする請求項１〜３のいずれかに記載の水用内接歯車ポンプ。
【発明の詳細な説明】
【技術分野】
【０００１】
本発明は、自吸揚水して圧送するポンプとして好適な水用内接歯車ポンプに関する。
【背景技術】
【０００２】
この種のポンプとしては、トロコイド歯形を有するアウタロータおよびインナロータをケーシングに回転自在に収容したトロコイドポンプが知られている。図１２および図１３を参照して従来のトロコイドポンプの一例を説明すると、アウタロータ４０は環状であって、その内周部に複数の内歯４１が形成され、一方、インナロータ５０の外周部にはアウタロータ４０の内歯４１よりも歯数が１つ少ない外歯５１が形成されている。
【０００３】
アウタロータ４０は、ケーシング１０に形成されたロータ収容凹部１１に回転自在に嵌合され、インナロータ５０は、外歯５１をアウタロータ４０の内歯４１に内接して噛み合う偏心した状態に、アウタロータ４０内に収容されている。両ロータ４０，５０が互いに接触する仕切点Ｐ間には、吸入側あるいは吐出側となる容積室Ｒが形成され、ケーシング１０には、吸入側の容積室Ｒに連通する吸入通路１２ａと、吐出側の容積室Ｒに連通する吐出通路１３ａとが形成される。
【０００４】
インナロータ５０の軸心にはシャフト３０が固定され、図示せぬモータでシャフト３０を介してインナロータ５０を回転させると、外歯５１がアウタロータ４０の内歯４１に噛み合うことによりアウタロータ４０が同一方向に連れ回りし、この回転によって容積が増大する吸入側の容積室Ｒに吸入通路１２ａから水が吸入され、次いで、容積が減少する吐出側の容積室Ｒから、吸入した水が吐出通路１３ａに吐出される。ケーシング１０には、ロータ収容凹部１１を覆って上記各容積室を密封するためのカバー２０が固定されており、このカバー２０の内面に装着されたＯリングからなるシール材８０により、水の漏洩が防止されている。このようなトロコイドポンプは、例えば特許文献１により公知である。
【０００５】
【特許文献１】特開平７−７１３７４号公報
【発明の開示】
【発明が解決しようとする課題】
【０００６】
図１２のＬｃはカバー２０で閉塞されるロータ収容凹部１１の深さであり、Ｌｔは各ロータ４０，５０の厚さである。収容凹部１１内で各ロータ４０，５０がスムーズに回転するには、Ｌｃ＞Ｌｔで表される隙間が必要であることは当然であるものの、この隙間は、特に吸入圧としての負圧が求められる吸入側においては、吸入側の容積室の密閉性を高める上で、なるべく小さいことが望まれる。
【０００７】
しかしながら、この隙間を微小にすることは、部品精度あるいは寸法精度を上げる必要があり、これはコストの面で困難である。そこで、吸入圧を高める手段として、ロータ収容凹部１１の深さと各ロータ４０，５０の厚さを大きくすることが考えられるが、その場合には、モータの電流値を上げるか、あるいはモータを高性能化（高回転化あるいは高トルク化）する必要がある。
【０００８】
また、ポンプ内が空の状態でのドライ運転のときには、揚水高さ：揚程によっては上記隙間に起因して吸入圧が不足し、これを補うことは、モータ電流値の上昇や高性能化によって可能ではある。しかしながら、モータの電流値を増大させることは消費電力のロスにつながって運転コストの上昇を招き、また、モータを高性能化させることは、当然製造コストの上昇を招くことになる。
【０００９】
また、吸入圧を高くすることは、吐出量が増大するという点では好ましいが、反面、吐出側の容積室Ｒではより高圧となるため、各ロータ４０，５０を回転させるモータの負荷が大きくなる。この現象は、上記のドライ運転を経て水が吐出側の容積室Ｒに吸入されたときに、吸入側と吐出側の圧力の格差が大きくなるので顕著となる。吐出側の容積室Ｒの高圧化に伴う負荷の増大に対処するには、高トルク型のモータを採用すればよいが、これは上記のようにコストアップを招いてしまう。
【００１０】
よって本発明は、電流値を上げたりモータを高性能化させることなく、必要十分な吸入圧および吐出圧を確保することができ、結果として低コスト、かつ高効率で水を圧送することのできる水用内接歯車ポンプを提供することを目的としている。
【課題を解決するための手段】
【００１１】
本発明の水用内接歯車ポンプは、カバー固定面、およびこのカバー固定面に形成されたロータ収容凹部を有するケーシングと、内歯を有し、ケーシングのロータ収容凹部に回転自在に嵌合される環状のアウタロータと、外歯を有し、アウタロータ内に、外歯が内歯に内接して噛み合い、かつ、アウタロータの回転中心に対して偏心する状態で回転自在に収容されるインナロータと、ケーシングのカバー固定面に固定され、ロータ収容凹部を閉塞するカバーと、アウタロータとインナロータのいずれか一方を回転させる駆動源とを備え、内歯と外歯との間に、水が吸入される吸入側容積室と、水を吐出させる吐出側容積室とが形成される内接歯車ポンプにおいて、ケーシングのカバー固定面と、カバーとの間に、可撓性および水不透過性を有するシートが、ロータ収容凹所を覆う状態に挟まれていることを特徴としている。
【００１２】
本発明の水用内接歯車ポンプにおいては、アウタロータおよびインナロータが回転すること、容積が増大することにより負圧となって吸入圧が生じる吸入側容積室に水が吸入され、吸入された水は、容積が減少する吐出側容積室において高圧となり、吐出側容積室から吐出される。
【００１３】
上記動作が起こると、シートの吸入側容積室に対向する部分が、負圧によって各ロータ側に吸着し、吸入側容積室のカバー側の開口がシートによって密閉されるか、あるいはそれに近い状態になる。これによって、吸入側容積室のカバー側の開口とカバーとの間の隙間がなくなり、従来は存在していたこの隙間による圧力の漏れが起こりにくくなるので、吸入側容積室の吸入圧が上昇する。このため、低い吸入圧でも、実際に生じる吸入圧を高めることができ、その結果、必要十分な吸入圧を確保することができる。
【００１４】
吐出側容積室の過大な高圧化は、各ロータを回転させる駆動源の負荷を増大させることになるので、吐出量が確保される範囲で、その圧力は抑えられことが望ましい。この状態を実現させるためとして、カバーにおけるシートに対向する内面の、少なくとも吐出側容積室に対応する部分に、凹部が形成されている形態が挙げられる。
【００１５】
この形態では、高圧となる吐出側容積室内の圧力を受けて、シートがカバーの凹部側に変形して膨らみ、吐出側容積室の容積が実質的に増大し、このため、吐出側容積室の圧力が低減する。吐出側容積室の圧力上昇が抑えられることは、特に、ドライ運転から水がポンプ内に吸入されたときに起こる吐出側容積室の過大な高圧化を未然に防ぐことができる点、および非圧縮性の水を圧送する点で、きわめて有意義である。また、シートの吐出側容積室に対応する部分が各ロータから離れるので、シートと各ロータとに生じる摩擦が低減する。このため、駆動源の負荷が低減して消費電力のロスが抑えられる。
【００１６】
本発明によると、上記のように吸入圧の上昇が効果的に達成されるが、各ロータに対するシートの吸着面積が大きい場合、駆動源の負荷が増大する。そこで、シートの吸入側容積室に対応する部分の一部に孔を形成して吸入側容積室内の圧力が適度にリークされる形態が好ましい構成として挙げられる。このようにシートの吸入側の一部に孔を形成するか、あるいは上記のようにカバー内面の吐出側に凹部を形成するか、さらには双方を組み合わせることにより、吸入側と吐出側の圧力をバランスよく調整して、必要十分なポンプ性能を得ることができる。また、カバーの凹部やシートの孔の大きさを調整することによってさらにポンプ性能を調整することができる。
【００１７】
また、ケーシングのカバー固定面とカバーとの間に挟まれるシートは、カバーをケーシングに固定することにより、ケーシングのロータ収容凹部の周囲において、カバー固定面およびカバー内面に液密的に密着させることができる。この形態により、シートを、水の漏洩を防止するシール材として兼用させることができる。
【発明の効果】
【００１８】
本発明の水用内接歯車ポンプによれば、モータの電流値を上昇させたりモータを高性能化させることなく、必要十分な吸入圧および吐出圧を確保することができ、結果として低コスト、かつ高効率で水を圧送することができるといった効果を奏する。
【発明を実施するための最良の形態】
【００１９】
以下、本発明の一実施形態を説明する。
図１の符号１は、本実施形態の水用トロコイドポンプの縦断面を示している。このトロコイドポンプ１は、ケーシング１０、ケーシング１０に固定されるカバー２０、図示せぬモータにより回転させられるシャフト３０、トロコイド歯形を有するアウタロータ４０およびインナロータ５０を備えている。図２は、カバー２０を外した状態のケーシング１０の平面図、図３はさらにアウタロータ４０およびインナロータ５０を外した状態のケーシング１０の平面図である。
【００２０】
ケーシング１０は、直方体状であって、上面（カバー固定面）１０ａの中央に、所定深さを有する円形のロータ収容凹部１１が形成されている。ケーシング１０の互いに平行をなす一対の側面には、これら側面から突出する吸入ノズル１２および吐出ノズル１３がそれぞれ形成されている。吸入ノズル１２内の吸入通路１２ａは吸入口１２ｂを経て、また、吐出ノズル１３内の吐出通路１３ａは吐出口１３ｂを経て、それぞれロータ収容凹部１１に連通している。吸入口１２ｂと吐出口１３ｂは、図３に示すように、ロータ収容凹部１１の外周とシャフト３０の外周に沿った円弧状であり、ロータ収容凹部１１の中心の両側に形成されている。
【００２１】
ロータ収容凹部１１には、環状のアウタロータ４０が回転自在に嵌合され、このアウタロータ４０内に、インナロータ５０が内接する状態で回転自在に収容されている。図２に示すように、アウタロータ４０の内周部には、複数の内歯４１が形成され、インナロータ５０の外周部には、アウタロータ４０の内歯４１よりも歯数が１つ少ない外歯５１が形成されている。そして、インナロータ５０は、外歯５１が内歯４１に内接して噛み合い、その中心がアウタロータ４０の中心に対して偏心する状態で、アウタロータ４０内に収容されている。
【００２２】
インナロータ５０の中心には、ケーシング１０を貫通して回転自在に支持されるシャフト３０の先端が固定されている。シャフト３０は、ロータ収容凹部１１が形成された上面１０ａとは反対側の底面側から挿入され、ケーシング１０の底部には、シャフト３０のオイルシール３１が装着されている。
【００２３】
カバー２０は、ケーシング１０の上面１０ａの形状に合致する矩形状で、四隅に通されるねじ２１を、上面１０ａに形成されたねじ孔１４にねじ込んで締結することにより、ケーシング１０に固定される。本実施形態では、このカバー２０を固定する際に、カバー２０と上面１０ａの間に、カバー２０と同形状の図４に示すシート６０を挟んで固定している。すなわち、図１に示すように、ケーシング１０の上面１０ａとカバー２０との間に、シート６０がロータ収容凹部１１を覆う状態に挟まれている。シート６０は、可撓性および水不透過性を有する膜状の薄い材料からなるもので、フッ素樹脂等の樹脂や金属箔等が用いられる。
【００２４】
図１に示すように、アウタロータ４０の内歯４１とインナロータ５０の外歯５１は、複数の仕切点Ｐで互いに接触する。各仕切点Ｐ間およびシート６０との間には、吸入側あるいは吐出側の容積室Ｒが形成される。吸入側と吐出側の区別は、同一方向に回転する各ロータ４０，５０の回転方向に応じてなされるが、この場合、吸入側の容積室Ｒは吸入ノズル１２側に設定され、吐出側の容積室Ｒは吐出ノズル１３側に設定される。
【００２５】
また、図５（ａ）に示すように、ケーシング１０の上面１０ａに対向させられるカバー２０の裏面には、外周部と中央部を残して、環状の凹部２１が形成されている。この凹部２１は、各容積室Ｒを覆う範囲に形成されている。凹部２１に囲まれる中央部の凸部２２によってカバー２０は押さえ付けられ、過度な変形が抑えられるようになっている。
【００２６】
なお、図５（ａ）は凹部２１の一例を示しており、凹部２１の形状は、図５（ｂ）に示すように、Ｃ字状であって吸入側および吐出側に分割して対称的に形成されたものや、これと同様に対称的であって、図５（ｃ）に示すように、半月状に形成されたものであってもよい。また、凹部２１は、その機能の面から、吐出側のみに形成されていればよく、図５（ｄ）は、吐出側に半月状に形成された場合を示している。
【００２７】
以上がトロコイドポンプ１の構成であり、このトロコイドポンプ１は、図１に示すように、貯水タンク７０内に挿入される吸入管７１を吸入ノズル１２に接続し、モータを稼働させることにより、次の動作が起こって貯水タンク７０内の水を吸い上げる。図１のＨは、トロコイドポンプ１と貯水タンク７０間の高さであって、水を吸い上げる揚程である。
【００２８】
モータの稼働により図２において反時計方向にシャフト３０が回転し、同方向にインナロータ５０が回転させられ、インナロータ５０の外歯５１がアウタロータ４０の内歯４１に噛み合いながら、アウタロータ４０が同方向に連れ回りする。これによって、上記容積室Ｒは、容積が増大する吸入側（吸入ノズル１２側）と、容積が減少する吐出側（吐出ノズル１３側）とに分けられる。このようなロータ４０，５０の回転作用により、吸入側の容積室Ｒが吸入口１２ｂに連通する状態と、吐出側の容積室Ｒが吐出口１３ｂに連通する状態が繰り返し起こる。すると、貯水タンク７０内の水は吸入管７１を上昇し、吸入ノズル１２から、吸入通路１２ａ、吸入口１２ｂを経て吸入側の容積室Ｒに吸入され、続いて、吐出側の容積室Ｒから吐出口１３ｂ、吐出通路１３ａを経て、吐出ノズル１３から水が吐出されるポンプ作用が、連続的に行われる。
【００２９】
さて、上記のポンプ作用において、吸入側の容積室Ｒに水が流入する以前のドライ運転の状態では、図６に示すように、シート６０の、吸入側の容積室Ｒに対向する部分が負圧によって各ロータ４０，５０側に吸着し、吸入側の容積室Ｒのカバー２０側の開口が、シート６０によって密閉されるか、あるいはそれに近い状態になる。これによって、吸入圧が上昇する。このように吸入圧が上昇することにより、低い吸入圧でも、実際に生じる吸入圧は高くなり、その結果、必要十分な吸入圧を確保することができる。各ロータ４０，５０に吸着されるシート６０は、各ロータ４０，５０が回転することにより摩擦を受けるので、耐久性が高く、摩擦係数の低い摺動性の良好な材料であることが好ましい。また、ある程度の弾性を有するものであるといっそう好ましい。
【００３０】
次いで、水が吐出側の容積室Ｒに吸入されると、圧力が上昇することにより吐出圧が生じるが、このとき、シート６０の、吐出側の容積室Ｒに対向する部分が、図７に示すようにカバー２０の凹部２１側に変形して膨らむ。この状態が継続して水は吐出されるが、シート６０がカバー２０の凹部２１に入り込んで膨らむことにより、吐出側の容積室Ｒの容積が実質的に増大し、このため、吐出側の容積室Ｒの圧力の過大な上昇が抑えられる。このような吐出側でのシートの変形による容積増大は、特に、ドライ運転を経て水が吐出側の容積室Ｒに吸入されたとき、過大な高圧化が抑えられる点できわめて有効です。また、シート６０が各ロータ４０，５０から確実に離れるので、シート６０と各ロータ４０，５０との間には摩擦が生じず、このため、モータの負荷が低減して消費電力のロスが抑えられる。
【００３１】
本実施形態のトロコイドポンプ１によれば、吸入側でのシート６０の吸着作用によって吸入圧を効果的に上昇させることができるので、電流値を上げたり、高性能なモータを用いたりすることによって、吸入圧を上昇させるといった手段を採る必要がない。また、吐出側ではシート６０が膨らむことにより圧力の上昇が抑えられ、モータの負荷が低減する。これらの結果、消費電力のロスが抑えられるとともに、モータを高性能化させることなく必要十分な吸入圧および吐出圧を確保することができ、結果として低コスト、かつ高効率で水を圧送することができる。
【００３２】
また、シート６０は、カバー２０をケーシング１０に固定することにより、ケーシング１０のロータ収容凹部１１の周囲において、ケーシング１０の上面１０ａおよびカバー２０の内面に液密的に密着する。これにより、シート６０は、水の漏洩を防止するシール材として機能する。このため、図１２のシール材８０のように、シール材を別途設ける必要がなくなり、部品点数の増加に伴うコスト上昇が抑えられる。
【００３３】
図８は、シート６０の変更例を示している。このシート６０は、吸入側の容積室Ｒに対応する部分の一部に、孔６１が形成されている。このシート６０を上記実施形態と同様にして用いると、吸入側の容積室Ｒ内の圧力を、孔６１の大きさに応じて適度にリークすることができる。このため、各ロータ４０，５０に対してシート６０が必要以上に吸着することが防がれ、もってモータの負荷を低減させることができる。
【００３４】
上記のようにシート６０の吸入側の一部に孔６１を形成するか、あるいはカバー２０の内面の吐出側に凹部２１を形成するか、さらには双方を組み合わせることにより、吸入側と吐出側の圧力をバランスよく調整して、必要十分なポンプ性能を得ることができる。また、カバー２０の凹部２１やシート６０の孔６１の大きさを調整することによってさらにポンプ性能を調整することができる。
【実施例】
【００３５】
図１および図２に示したものと同様のトロコイドポンプを、実施例として組み立てた。すなわち実施例のトロコイドポンプは、ケーシングとカバーとの間にシートを挟んだ構成である。このシートとしては、厚さ０．２ｍｍ程度のフッ素樹脂製のシートを用いた。また、シートを用いない以外は、実施例と同様構成のトロコイドポンプを、比較例として組み立てた。
【００３６】
実施例および比較例のトロコイドポンプを、図１と同様の状態で揚程Ｈを１ｍとしてセットし、モータを稼働させて次の測定を行った。なお、ポンプ性能としては、モータに印加する電圧は１２Ｖを適切な電圧とし、吐出量は１０００ｃｃ／ｍｉｎが確保されていれば十分とする。また、揚程が１ｍの場合では、吸入圧（ｍｍＨｇ）が７４ｍｍＨｇ以上で揚水が可能であることが公知である。
【００３７】
（１）吸入圧の測定
ドライ運転時のモータの電圧を適宜に変化させて、吸入管内の負圧すなわち吸入圧（ｍｍＨｇ）を測定した。図９はその結果を表しており、これによると、実施例では電圧が８Ｖで吸入圧が７５ｍｍＨｇを達成しており、８Ｖ以上で揚水が可能であった。これに対し、比較例では１６Ｖの電圧で７４ｍｍＨｇ以上がやっと達成され、消費電力が実施例よりも多いことが判った。
【００３８】
（２）電流値の測定
ドライ運転時のモータの電圧を適宜に変化させて、モータに流れる電流値（Ａ）を測定した。図１０はその結果を表しており、これによると、実施例の電流値は比較例より低く、消費電力が少ないことが実証された。
【００３９】
（３）吐出量の測定
水を吐出する連続運転時の電圧を適宜に変化させて、吐出量（ｃｃ）を測定した。図１１はその結果を示しており、これによると、比較例の方が実施例よりも吐出量が多いが、必要な吐出量：１０００ｃｃ／ｍｉｎは、実施例の場合には１０Ｖの印加電圧で達成されている。したがって、実施例でも必要十分な吐出量が確保されることが判った。
【図面の簡単な説明】
【００４０】
【図１】本発明の一実施形態に係るトロコイドポンプを貯水タンクにセットした状態の縦断面図である。
【図２】図１のII−II線矢視図である。
【図３】ケーシングの平面図である。
【図４】シートの平面図である。
【図５】（ａ）〜（ｄ）は、カバーの内面であって、形成される凹部の形態例を示す図である。
【図６】一実施形態のトロコイドポンプのドライ運転状態を示す縦断面図である。
【図７】一実施形態のトロコイドポンプの水圧送運転状態を示す縦断面図である。
【図８】シートの変更例を示す平面図である。
【図９】実施例で測定したトロコイドポンプの電圧と吸入圧との関係を示すグラフである。
【図１０】実施例で測定したトロコイドポンプの電圧と電流との関係を示すグラフである。
【図１１】実施例で測定したトロコイドポンプの電圧と吐出量との関係を示すグラフである。
【図１２】従来のトロコイドポンプの一例を示す縦断面図である。
【図１３】図１２のXIII−XIII線矢視図である。
【符号の説明】
【００４１】
１…トロコイドポンプ（内接歯車ポンプ）、１０…ケーシング、
１０ａ…上面（カバー固定面）、１１…ロータ収容凹部、２０…カバー、
２１…カバー内面の凹部、４０…アウタロータ、４１…内歯、５０…インナロータ、
５１…外歯、６０…シート、６１…シートの孔、Ｒ…容積室。
【図１】
2006070813.tif 000003
【図２】
2006070813.tif 000004
【図３】
2006070813.tif 000005
【図４】
2006070813.tif 000006
【図５】
2006070813.tif 000007
【図６】
2006070813.tif 000008
【図７】
2006070813.tif 000009
【図８】
2006070813.tif 000010
【図９】
2006070813.tif 000011
【図１０】
2006070813.tif 000012
【図１１】
2006070813.tif 000013
【図１２】
2006070813.tif 000014
【図１３】
2006070813.tif 000015